(57)【要約】【課題】生活の中の様々な場面において、所望の音楽を聴いて楽しむことができるようにする。【解決手段】端末により音楽コンテンツ配信システムに対して音楽コンテンツの配信を要求し、上記端末による要求に応じて上記音楽コンテンツ配信システムが暗号化された音楽コンテンツを配信し、上記音楽コンテンツ配信システムが配信した暗号化された音楽コンテンツを上記端末にダウンロードし、上記端末にダウンロードした暗号化された音楽コンテンツを、上記音楽コンテンツ配信システムから配信された暗号化された音楽コンテンツをダウンロード可能な音源システムを備えた音楽コンテンツ配信対象物へ転送し、上記転送された暗号化された音楽コンテンツを上記音楽コンテンツ配信対象物の上記音源システムにダウンロードし、上記源システムが上記ダウンロードした暗号化された音楽コンテンツを復号化するようにしたものである。【選択図】図１
2010020334.tif 000002
【特許請求の範囲】
【請求項１】
端末により音楽コンテンツ配信システムに対して音楽コンテンツの配信を要求し、
前記端末による要求に応じて前記音楽コンテンツ配信システムが暗号化された音楽コンテンツを配信し、
前記音楽コンテンツ配信システムが配信した暗号化された音楽コンテンツを前記端末にダウンロードし、
前記端末にダウンロードした暗号化された音楽コンテンツを、前記音楽コンテンツ配信システムから配信された暗号化された音楽コンテンツをダウンロード可能な音源システムを備えた音楽コンテンツ配信対象物へ転送し、
前記転送された暗号化された音楽コンテンツを前記音楽コンテンツ配信対象物の前記音源システムにダウンロードし、
前記音源システムが前記ダウンロードした暗号化された音楽コンテンツを復号化する
ことを特徴とする音楽コンテンツ配信方法。
【請求項２】
端末からの要求に応じて、音楽コンテンツ配信システムが音源システムを備えた音楽コンテンツ配信対象物へ音楽コンテンツを配信する音楽コンテンツ配信方法において、
音楽コンテンツ配信システムと端末と音源システムとが、音楽コンテンツの利用可能な期間を示す期間制限情報と音楽コンテンツの利用可能な回数を示す回数制限情報とをそれぞれ記憶し、
前記端末により音楽コンテンツの配信が指示されたときに、前記音楽コンテンツ配信システムと前記端末と前記音源システムとにおいては前記指示された音楽コンテンツに関する期間制限情報および回数制限情報を参照して、前記配信を指示された音楽コンテンツに関して、前記音楽コンテンツ配信システムと前記端末と前記音源システムとの全てにおいて期間制限情報が示す利用可能な期間であり、かつ、回数制限情報が示す回数以内のときのみ前記音楽コンテンツの配信を許可する
ことを特徴とする音楽コンテンツ配信方法。
【請求項３】
暗号化された音楽コンテンツを配信する音楽コンテンツ配信システムと、
前記音楽コンテンツ配信システムに対して暗号化された音楽コンテンツの配信を要求する端末と、
前記端末の要求に応じて前記音楽コンテンツ配信システムから配信された暗号化された音楽コンテンツをダウンロード可能であるとともにダウンロードされた暗号化された音楽コンテンツを復号化する音源システムを備えた音楽コンテンツ配信対象物と
を有し、
前記端末は、前記音楽コンテンツ配信システムから配信された暗号化された音楽コンテンツをダウンロードするとともに、前記ダウンロードした暗号化された音楽コンテンツを前記音楽コンテンツ配信対象物へ転送し、
前記音楽コンテンツ配信対象物は、前記転送された暗号化された音楽コンテンツをダウンロードするとともにダウンロードした暗号化された音楽コンテンツを復号化する
ことを特徴とする音楽コンテンツ配信システム。
【請求項４】
端末からの要求に応じて、音楽コンテンツ配信システムが音源システムを備えた音楽コンテンツ配信対象物へ音楽コンテンツを配信する音楽コンテンツ配信システムにおいて、
音楽コンテンツの利用可能な期間を示す期間制限情報と音楽コンテンツの利用可能な回数を示す回数制限情報とを記憶した音楽コンテンツ配信システムと、
前記期間制限情報と前記回数制限情報とを記憶した端末と、
前記期間制限情報と前記回数制限情報とを記憶した音源システムと、
前記端末により音楽コンテンツの配信が指示されたときに、前記音楽コンテンツ配信システムと前記端末と前記音源システムとにおいては前記指示された音楽コンテンツに関する期間制限情報および回数制限情報を参照して、前記配信を指示された音楽コンテンツに関して、前記音楽コンテンツ配信システムと前記端末と前記音源システムとの全てにおいて期間制限情報が示す利用可能な期間であり、かつ、回数制限情報が示す回数以内のときのみ前記音楽コンテンツの配信を許可する制御手段と
を有することを特徴とする音楽コンテンツ配信システム。
【請求項５】
請求項１または請求項２のいずれか１項に記載の音楽コンテンツ配信方法をコンピューターに実行させるためのプログラム。
【請求項６】
請求項３または請求項４のいずれか１項に記載の音楽コンテンツ配信システムとしてコンピューターを機能させるためのプログラム。
【請求項７】
請求項５または請求項６のいずれか１項に記載のプログラムを記録したコンピューター読み取り可能な記録媒体。
【発明の詳細な説明】
【発明の詳細な説明】
【技術分野】
【０００１】本発明は、音楽コンテンツ配信方法、音楽コンテンツ配信システム、プログラムおよびコンピューター読み取り可能な記録媒体に関し、さらに詳細には、各種のメロディやジングルあるいは音声などのような音楽コンテンツを配信する際に用いて好適な音楽コンテンツ配信方法、音楽コンテンツ配信システム、プログラムおよびコンピューター読み取り可能な記録媒体に関する。
【背景技術】
【０００２】近年、日本を含め世界各国において、情報技術（ＩＴ：Ｉｎｆｏｒｍａｔｉｏｎ  Ｔｅｃｈｎｏｌｏｇｙ）や通信技術の発展に伴い、インターネットやローカルエリアネットワーク（ＬＡＮ：Ｌｏｃａｌ  Ａｒｅａ  Ｎｅｔｗｏｒｋ）などの情報網が大幅に整備されてきている。【０００３】一方、パーソナルハンディフォンシステム（ＰＨＳ：Ｐｅｒｓｏｎａｌ  Ｈａｎｄｙｐｈｏｎｅ  Ｓｙｓｔｅｍ）や携帯電話システムなどの移動体通信システムも、日本を含め世界各国において急速に普及してきており、この移動体通信システムにおいては、情報技術の発展と相俟って、各種のサービスの提供が行われている。【０００４】こうしたサービスの一つとして、ＰＨＳシステムや携帯電話システムなどの移動体通信システムの端末たる移動体通信機器、即ち、ＰＨＳ通話機や携帯電話機を発呼する際に、従来より知られた単音の発呼音により発呼を通知するのではなく、発呼音として各種のメロディやジングルなどのような音楽コンテンツを用いる、所謂、着信メロディサービスが知られている。【０００５】この着信メロディサービスにおいては、基地局を介して発呼音となる各種の音楽コンテンツを端末たる移動体通信機器、即ち、ＰＨＳ通話機や携帯電話機などへダウンロードすることができるようになされている。【０００６】ところで、家庭内を鑑みると、家庭内には電子レンジやエアコンあるいは風呂の自動湯沸かし器などのように、作動に伴い音が発生する多数の機器がある。【０００７】しかしながら、こうした家庭内にあるような各種の機器は、作動に応じて予め内蔵された単一の音のみを発生するものであった。【０００８】然るに、最近においては、上記した着信メロディサービスもそうであるが、若年層を中心として、ライフスタイルの中に自分の好みの音楽を取り込みたいという欲求がある。こうした欲求は、例えば、部屋の中にあってはステレオセットやカセットテープデッキを用いて音楽を聴き、また、通勤や通学途中おいては携帯用カセットテーププレーヤーや携帯用ＣＤプレーヤーあるいは携帯用ＭＤプレーヤーを利用して音楽を聴くというような行動様式に表れている。【０００９】即ち、こうした若年層を中心とした世代においては、生活の中の様々な場面、例えば、電子レンジを使って食物を加熱したり、エアコンを作動させて室内の温度を変えたり、風呂の自動湯沸かし器により風呂の湯を加温したりする際などにおいて、各自の所望の音楽を聴いて楽しみたいという潜在的な強い要望があった。【００１０】なお、本願出願人が特許出願のときに知っている先行技術は、文献公知発明に係る発明ではないため、記載すべき先行技術文献情報はない。
【発明の開示】
【発明が解決しようとする課題】
【００１１】本発明は、上記したような従来からの要望に鑑みてなされたものであり、その目的とするところは、生活の中の様々な場面で所望の音楽を聴いて楽しむことができるようにした音楽コンテンツ配信方法、音楽コンテンツ配信システム、プログラムおよびコンピューター読み取り可能な記録媒体を提供しようとするものである。
【課題を解決するための手段】
【００１２】上記目的を達成するために、本発明は、ＰＨＳ通話機、携帯電話機、ＰＤＡあるいはパーソナルコンピューターなどの各種の移動体通信機器を利用して、生活の中の様々な場面で使用する各種のもの、例えば、家庭用電化製品に代表される各種の機器や玩具あるいは書籍などへ音楽コンテンツをダウンロードすることができるようにしたものである。【００１３】即ち、本発明のうち請求項１に記載の発明は、端末により音楽コンテンツ配信システムに対して音楽コンテンツの配信を要求し、上記端末による要求に応じて上記音楽コンテンツ配信システムが暗号化された音楽コンテンツを配信し、上記音楽コンテンツ配信システムが配信した暗号化された音楽コンテンツを上記端末にダウンロードし、上記端末にダウンロードした暗号化された音楽コンテンツを、上記音楽コンテンツ配信システムから配信された暗号化された音楽コンテンツをダウンロード可能な音源システムを備えた音楽コンテンツ配信対象物へ転送し、上記転送された暗号化された音楽コンテンツを上記音楽コンテンツ配信対象物の上記音源システムにダウンロードし、上記音源システムが上記ダウンロードした暗号化された音楽コンテンツを復号化するようにしたものである。【００１４】また、本発明のうち請求項２に記載の発明は、端末からの要求に応じて、音楽コンテンツ配信システムが音源システムを備えた音楽コンテンツ配信対象物へ音楽コンテンツを配信する音楽コンテンツ配信方法において、音楽コンテンツ配信システムと端末と音源システムとが、音楽コンテンツの利用可能な期間を示す期間制限情報と音楽コンテンツの利用可能な回数を示す回数制限情報とをそれぞれ記憶し、上記端末により音楽コンテンツの配信が指示されたときに、上記音楽コンテンツ配信システムと上記端末と上記音源システムとにおいては上記指示された音楽コンテンツに関する期間制限情報および回数制限情報を参照して、上記配信を指示された音楽コンテンツに関して、上記音楽コンテンツ配信システムと上記端末と上記音源システムとの全てにおいて期間制限情報が示す利用可能な期間であり、かつ、回数制限情報が示す回数以内のときのみ上記音楽コンテンツの配信を許可するようにしたものである。【００１５】また、本発明のうち請求項３に記載の発明は、暗号化された音楽コンテンツを配信する音楽コンテンツ配信システムと、上記音楽コンテンツ配信システムに対して暗号化された音楽コンテンツの配信を要求する端末と、上記端末の要求に応じて上記音楽コンテンツ配信システムから配信された暗号化された音楽コンテンツをダウンロード可能であるとともにダウンロードされた暗号化された音楽コンテンツを復号化する音源システムを備えた音楽コンテンツ配信対象物とを有し、上記端末は、上記音楽コンテンツ配信システムから配信された暗号化された音楽コンテンツをダウンロードするとともに、上記ダウンロードした暗号化された音楽コンテンツを上記音楽コンテンツ配信対象物へ転送し、上記音楽コンテンツ配信対象物は、上記転送された暗号化された音楽コンテンツをダウンロードするとともにダウンロードした暗号化された音楽コンテンツを復号化するようにしたものである。【００１６】また、本発明のうち請求項４に記載の発明は、端末からの要求に応じて、音楽コンテンツ配信システムが音源システムを備えた音楽コンテンツ配信対象物へ音楽コンテンツを配信する音楽コンテンツ配信システムにおいて、音楽コンテンツの利用可能な期間を示す期間制限情報と音楽コンテンツの利用可能な回数を示す回数制限情報とを記憶した音楽コンテンツ配信システムと、上記期間制限情報と上記回数制限情報とを記憶した端末と、上記期間制限情報と上記回数制限情報とを記憶した音源システムと、上記端末により音楽コンテンツの配信が指示されたときに、上記音楽コンテンツ配信システムと上記端末と上記音源システムとにおいては上記指示された音楽コンテンツに関する期間制限情報および回数制限情報を参照して、上記配信を指示された音楽コンテンツに関して、上記音楽コンテンツ配信システムと上記端末と上記音源システムとの全てにおいて期間制限情報が示す利用可能な期間であり、かつ、回数制限情報が示す回数以内のときのみ上記音楽コンテンツの配信を許可する制御手段とを有するようにしたものである。【００１７】また、本発明のうち請求項５に記載の発明は、本発明のうち請求項１または請求項２のいずれか１項に記載の発明をコンピューターに実行させるためのプログラムである。【００１８】また、本発明のうち請求項６に記載の発明は、本発明のうち請求項３または請求項４のいずれか１項に記載の発明としてコンピューターを機能させるためのプログラムである。【００１９】また、本発明のうち請求項７に記載の発明は、本発明のうち請求項５または請求項６のいずれか１項に記載の発明を記録したコンピューター読み取り可能な記録媒体である。
【発明の効果】
【００２０】本発明は、以上説明したように構成されているので、生活の中の様々な場面で所望の音楽を聴いて楽しむことを可能にさせるという優れた効果を奏する。
【発明を実施するための最良の形態】
【００２１】以下、添付の図面を参照しながら、本発明による音楽コンテンツ配信方法、音楽コンテンツ配信システム、プログラムおよびコンピューター読み取り可能な記録媒体の実施の形態の一例を詳細に説明する。【００２２】なお、以下に説明する実施の形態においては、ＰＨＳ通話機、携帯電話機、ＰＤＡあるいはパーソナルコンピューターなどの各種の移動体通信機器の一例として、携帯電話機を用いた場合について説明する。【００２３】図１には、本発明による音楽コンテンツ配信システムの概念図が示されており、この本発明による音楽コンテンツ配信システムにおいては、音楽コンテンツを配信する音楽コンテンツ配信事業者が管理する音楽コンテンツ配信事業者システム１００と携帯電話機２００とが、インターネット網３００により接続されている。なお、これら音楽コンテンツ配信事業者システム１００は、物理的にはコンピューターにより構成される。【００２４】また、音楽コンテンツ配信事業者システム１００から携帯電話機２００を介して赤外線通信により音楽コンテンツを配信される音楽コンテンツ配信対象物４００としては、例えば、ユーザーが利用する電子レンジ、冷蔵庫、エアコンならびにテレビなどの家庭用電化製品のような各種の機器や、人形、ぬいぐるみならびに幼児用ベッド取付型メリーゴーランドなどの玩具や、絵本、雑誌などの書籍などがある。【００２５】これら音楽コンテンツ配信対象物４００には、例えば、図２に示すような音源システム５００が組み込まれている。【００２６】この音源システム５００は、中央処理装置（ＣＰＵ）５０２により全体の動作を制御するようになされており、ＣＰＵ５０２にはバス５０４を介して、ＣＰＵ５０２の制御のためのプログラムや各種のアプリケーションプログラムなどを記憶したリードオンリメモリ（ＲＯＭ）５０６と、ＣＰＵ５０２のワーキングエリアとして用いられる記憶領域や通信インターフェース５１０（後述する。）により受信された音楽コンテンツを記憶する領域などを備えたランダムアクセスメモリ（ＲＡＭ）５０８と、音楽コンテンツ配信事業者システム１００から配信された音楽コンテンツを受信するためにインターネット網３００に接続された携帯電話機２００との間で赤外線通信を行うための通信インターフェース５１０と、通信インターフェース５１０により受信されてＲＡＭ５０８に記憶された楽音コンテンツに基づいて楽音信号を生成する音源回路５１２と、音源回路５１２により生成された楽音信号を聴取し得る楽音として空間に放音するためのアンプやスピーカーよりなるサウンドシステム５１４とが接続されている。【００２７】なお、上記した音源システム５００は、例えば、１チップよりなる音源ボードとして構成することができる。【００２８】また、音源システム５００を搭載する家庭用電化製品などの音楽コンテンツ配信対象物４００が、音源システム５００を構成する上記した各構成要素の何れかあるいは全てと同様な構成を備えている場合には、音楽コンテンツ配信対象物４００のそうした構成を利用して音源システム５００を構築するようにしてもよい。【００２９】ここで、音源システム５００としては、例えば、図３乃至図２０に示す仕様を備えたＩｒ音源（赤外線通信音源）を用いて構成することができる。【００３０】なお、この実施の形態においては、図３乃至図２０に示す仕様における「Ｉｒホスト」は、制御手段としてコントロールアプリケーションプログラム（後述する。）を搭載した携帯電話機２００に対応し、図３乃至図２０に示す仕様における「Ｉｒ音源」および「制御ホスト」は、音源システム５００に対応する。【００３１】また、図３乃至図２０に示す仕様における「ＩｒＴＭｕｓｉｃ仕様」については、図２３乃至図２６を参照しながら後述する。【００３２】こうした図３乃至図２０に示す仕様を備えた音源システム５００は、図３乃至図２０に示すように主な機能として、以下の（１）〜（４）の機能を備えている。【００３３】（１）データ受信：赤外線受光部より暗号化データを受信する。なお、本明細書においては、「暗号化データ」とは、音楽コンテンツのデータを暗号化したものを意味する。音楽コンテンツのデータの暗号化ならびに複合化については、図２８を参照しながら後述する。【００３４】（２）データ解凍：暗号化データを復号化して解凍する。【００３５】（３）データ再生／停止：スイッチ信号を受けて楽曲データを再生／停止する。【００３６】（４）データ保存：メモリ内に書きこみデータを保存する。【００３７】次に、図２１には、本発明による音楽コンテンツ配信システムの具体的な構成が示されており、音楽コンテンツ配信事業者システム１００は、ユーザーデータベース（ユーザーＤＢ）１００ａとウェブサーバー（Ｗｅｂサーバー）１００ｂとを備えている。【００３８】ここで、ユーザーＤＢ１００ａは、本発明による音楽コンテンツ配信システムの利用者、即ち、ユーザーを管理するための情報を記憶しておくデータベースである。こうしたユーザーを管理するための情報としては、例えば、利用者状況管理情報、個人情報管理情報、課金決済管理情報などがある。【００３９】また、利用者状況管理情報については、携帯電話機２００と音源システム５００とにおいてもそれぞれの記憶手段に記憶している。【００４０】一方、Ｗｅｂサーバー１００ｂは、各種の音楽コンテンツとして暗号化データを記憶していて、携帯電話機２００からの要求に応じて、インターネット網３００を介して要求された音楽コンテンツに対応した暗号化データを配信するものである。音楽コンテンツ配信対象物４００への音楽コンテンツに対応した暗号化データの配信の手法としては、この実施の形態においては、ユーザーが携帯電話機２００を用いて音楽コンテンツの配信の要求を行うと、Ｗｅｂサーバー１００ｂは要求された音楽コンテンツに対応する暗号化データを配信し、携帯電話機２００はＷｅｂサーバー１００ｂから配信された音楽コンテンツの暗号化データを当該携帯電話機２００に一旦ダウンロードし、携帯電話機２００の赤外線通信を利用したデータ転送により、当該ダウンロードした音楽コンテンツの暗号化データを音楽コンテンツ配信対象物１０４に配信するという手法を用いている。音楽コンテンツ配信対象物１０４の音源システム５００においては、配信された暗号化データを復号化して、携帯電話機２００が要求した音楽コンテンツを放音可能にする。【００４１】ここで、本発明の実施に関連する利用者状況管理情報としては、具体的には、ユーザーによる利用を制限するための期間制限情報と回数制限情報とがある。【００４２】期間制限情報とは各音楽コンテンツの利用可能な期間を示す情報であり、回数制限情報とは各音楽コンテンツの利用可能な回数を示す情報である。【００４３】音楽コンテンツ配信事業者システム１００のユーザーＤＢ１００ａと携帯電話機２００と音源システム５００とにおいては、期間制限情報と回数制限情報とをそれぞれ記憶しており、音楽コンテンツ配信事業者システム１００のユーザーＤＢ１００ａと携帯電話機２００と音源システム５００との間で音楽コンテンツの利用をそれぞれ独立して管理している。【００４４】即ち、この本発明による音楽コンテンツ配信システムにおいては、音楽コンテンツ配信事業者システム１００のユーザーＤＢ１００ａと携帯電話機２００と音源システム５００とのそれぞれの記憶手段において各音楽コンテンツ毎の期間制限情報および回数制限情報を記憶している。そして、ユーザーにより携帯電話機２００から音楽コンテンツの配信が指示された場合には、ユーザーＤＢ１００ａと携帯電話機２００と音源システム５００とにおいては当該指示された音楽コンテンツに関する期間制限情報および回数制限情報を参照して、当該配信を指示された音楽コンテンツに関して、ユーザーＤＢ１００ａと携帯電話機２００と音源システム５００との全てにおいて期間制限情報が示す利用可能な期間であってかつ回数制限情報が示す回数以内の場合においてのみ配信を許可するものである。【００４５】なお、ユーザーＤＢ１００ａと携帯電話機２００と音源システム５００とは、各音楽コンテンツの利用回数をそれぞれ履歴として記憶しており、その履歴を参照しながら当該配信を指示された音楽コンテンツの利用回数が回数制限情報が示す回数以内か否かを判断する。【００４６】上記のようにして、期間制限情報および回数制限情報をユーザーＤＢ１００ａと携帯電話機２００と音源システム５００とのそれぞれにおいて管理することにより、音楽コンテンツを改竄などから保護している。【００４７】なお、ユーザーＤＢ１００ａと携帯電話機２００と音源システム５００とのそれぞれの記憶手段に記憶された期間制限情報ならびに回数制限情報は、所定の値を予め設定されているが、随時に設定変更可能となされている。【００４８】次に、図２２を参照しながら、本発明による音楽コンテンツ配信システムの全体の動作を説明する。【００４９】即ち、ユーザーがこの本発明による音楽コンテンツ配信システムを利用する際には、まず、携帯電話２００のメモリに保存されたコントロールアプリケーションソフトウェアプログラムを起動する。【００５０】ここで、コントロールアプリケーションソフトウェアプログラムは、
１）楽曲閲覧機能
２）楽曲試聴機能
３）楽曲転送機能
の機能を実現する。【００５１】上記した３つの機能のうちの楽曲閲覧機能とは、携帯電話機２００とＷｅｂサーバー１００ｂとを接続し、ダウンロードする音楽コンテンツを選択する機能である。【００５２】また、上記した３つの機能のうちの楽曲試聴機能とは、試聴したい音楽コンテンツを一時的にストリーム再生させる機能である。【００５３】さらに、上記した３つの機能のうちの楽曲転送機能とは、選択した音楽コンテンツを音源システム５００に転送する機能である。
ここで、Ｗｅｂサーバー１００ｂと携帯電話機２００と音源システム５００との間においては、音楽コンテンツを暗号化した暗号化データを用いて音楽コンテンツの送受信が行われる。音源システム５００が暗号化データを受信すると、暗号化データを復号化して音楽コンテンツを外部に放音する。【００５４】次に、携帯電話機２００と音源システム５００との間における赤外線通信の手法について説明する。【００５５】この実施の形態においては、携帯電話機２００と音源システム５００との間における赤外線通信の手法として、図２３乃至図２６に示す仕様を備えた双方向通信可能なＩｒＭＣ規格（ＩｒＬＡＰ、ＩｒＬＭＰ、ＩｒＴｉｎｙＴＰ、ＩｒＯＢＥＸ）レイヤー上で動作する通信プロトコルを用いている。以下、本明細書においては、この双方向通信可能なＩｒＭＣ規格レイヤー上で動作する通信プロトコルを、「ＩｒＴＭｕｓｉｃ（Ｉｒ  Ｔｒａｎｃｅ  Ｍｕｓｉｃ：ＩｒＭＣ規格準拠音楽データ転送仕様）」と称することとする。【００５６】従って、この実施の形態における携帯電話機２００ならびに音源システム５００は、双方向通信可能なＩｒＭＣ規格に準じた赤外線通信機能を持つように構成されている。【００５７】そして、このＩｒＴＭｕｓｉｃに示す仕様は、双方向通信可能なＩｒＭＣ規格に準じた赤外線通信機能を持つ携帯電話機２００などのような移動体通信機器と、同じく双方向通信可能なＩｒＭＣ規格に準じた赤外線通信機能を持つ音源システム５００との間のデータ通信について規定するものである。【００５８】上記したように、ＩｒＴＭｕｓｉｃは、双方向通信可能なＩｒＭＣ規格（ＩｒＬＡＰ、ＩｒＬＭＰ、ＩｒＴｉｎｙＴＰ、ＩｒＯＢＥＸ）レイヤー上で動作するものであり、従来のデータのみの双方向通信を可能にするＩｒＭＣプロトコル上にＩｒＴＭｕｓｉｃプロトコルを搭載することにより、データコントロール可能な高速転送、ファイルセキュリティを実現できるようになる。【００５９】ここで、ＩｒＴＭｕｓｉｃは、図２３に示すように、データファイルのファイルフォーマット（以下、「Ｓｅｃｕｒｅ  Ｍｕｓｉｃ  Ｆｉｌｅ  Ｆｏｒｍａｔ」または「ＳＭＦＦ」と称する。）とデータファイルを転送するためのプロトコル（以下、「Ｍｕｓｉｃ  Ｆｉｌｅ  Ｔｒａｎｓｆｅｒ  Ｐｒｏｔｏｃｏｌ」または「ＭＦＴＰ」と称する。）により構成されている。【００６０】ＳＭＦＦとは、著作権保護を目的とした暗号化ファイルフォーマットであり、ＭＩＤＩ、ＡＤＰＣＭの音声データと制御プログラムを扱うものである。このＳＭＦＦは、図２４に示すフォーマットを備えており、フォーマット上にて期間制限情報と回数制限情報とよりなる利用者状況管理情報を含む個別の管理情報、著作保護情報を保持できる。【００６１】また、ＭＦＴＰとは、音楽データファイル転送プロトコル、即ち、ＩｒＭＣ上でＳＭＦＦデータを高速通信させるための通信手順（プログラム）であり、ＳＭＦＦデータファイルを送信側（携帯電話機２００などの移動体通信機器側）から、受信側（音源システム５００などのＩｒ音源（ＩｒＴＭｕｓｉｃ仕様対応、ＭＩＤＩ、ＡＤＰＣＭデコード機能搭載モジュール）あるいはＩｒ音源を搭載した音声再生機器）へ送信する手順を規定し��転送制御はＩｒＭＣ規格に準ずる。【００６２】具体的には、図２５に示す転送手順により、図２６に詳細を示す状態１〜５に遷移しながらデータ通信を行う。【００６３】ここで、図２７には、ＩｒＴＭｕｓｉｃによる携帯電話機２００と音源システム５００との間の通信に関する処理手順が示されており、携帯電話機２００と音源システム５００との間の通信は、携帯電話機２００主導で行われる。【００６４】また、図２８には、音楽コンテンツの暗号化と複合化との処理手順が示されており、音楽コンテンツのデータを暗号化してＷｅｂサーバー１００ｂに保存しておき、暗号化データを携帯電話機２００へ取り込んで記憶し、その暗号化データを音源システム５００へ送信するようになされている。暗号化データの復号化は、音源システム５００において行われる。
【産業上の利用可能性】
【００６５】本発明によれば、各種のメロディやジングルあるいは音声などのような音楽コンテンツを家庭用電化製品に代表される各種の機器や玩具あるいは書籍などを利用して聴取することができるようになるので潜在的に大きな需要があり、本発明は、家庭用電化製品メーカーなどに代表される各種の機器メーカーや玩具メーカーあるいは出版社に利用されるものであることは勿論であり、音楽コンテンツを配信する音楽コンテンツ配信事業者や音楽コンテンツを配信するために利用するＰＨＳ通話機、携帯電話機、ＰＤＡあるいはパーソナルコンピューターなどの各種の移動体通信機器メーカーなどに利用される。
【図面の簡単な説明】
【００６６】
【図１】図１は、本発明による音楽コンテンツ配信システムの概念図である。
【図２】図２は、音楽コンテンツ配信対象物に組み込まれる音源システムのブロック構成図である。
【図３】図３は、音源システムの仕様を示す説明図である。
【図４】図４は、音源システムの仕様を示す説明図である。
【図５】図５は、音源システムの仕様を示す説明図である。
【図６】図６は、音源システムの仕様を示す説明図である。
【図７】図７は、音源システムの仕様を示す説明図である。
【図８】図８は、音源システムの仕様を示す説明図である。
【図９】図９は、音源システムの仕様を示す説明図である。
【図１０】図１０は、音源システムの仕様を示す説明図である。
【図１１】図１１は、音源システムの仕様を示す説明図である。
【図１２】図１２は、音源システムの仕様を示す説明図である。
【図１３】図１３は、音源システムの仕様を示す説明図である。
【図１４】図１４は、音源システムの仕様を示す説明図である。
【図１５】図１５は、音源システムの仕様を示す説明図である。
【図１６】図１６は、音源システムの仕様を示す説明図である。
【図１７】図１７は、音源システムの仕様を示す説明図である。
【図１８】図１８は、音源システムの仕様を示す説明図である。
【図１９】図１９は、音源システムの仕様を示す説明図である。
【図２０】図２０は、音源システムの仕様を示す説明図である。
【図２１】図２１は、本発明による音楽コンテンツ配信システムの具体的な構成を示す説明図である。
【図２２】図２２は、本発明による音楽コンテンツ配信システムの全体の動作の説明図である。
【図２３】図２３は、双方向通信可能なＩｒＭＣ規格（ＩｒＬＡＰ、ＩｒＬＭＰ、ＩｒＴｉｎｙＴＰ、ＩｒＯＢＥＸ）レイヤー上で動作する通信プロトコルの仕様を示す説明図である。
【図２４】図２４は、双方向通信可能なＩｒＭＣ規格（ＩｒＬＡＰ、ＩｒＬＭＰ、ＩｒＴｉｎｙＴＰ、ＩｒＯＢＥＸ）レイヤー上で動作する通信プロトコルの仕様を示す説明図である。
【図２５】図２５は、双方向通信可能なＩｒＭＣ規格（ＩｒＬＡＰ、ＩｒＬＭＰ、ＩｒＴｉｎｙＴＰ、ＩｒＯＢＥＸ）レイヤー上で動作する通信プロトコルの仕様を示す説明図である。
【図２６】図２６は、双方向通信可能なＩｒＭＣ規格（ＩｒＬＡＰ、ＩｒＬＭＰ、ＩｒＴｉｎｙＴＰ、ＩｒＯＢＥＸ）レイヤー上で動作する通信プロトコルの仕様を示す説明図である。
【図２７】図２７は、携帯電話機と音源システムとの間の通信に関する処理手順を示す説明図である。
【図２８】図２８は、音楽コンテンツの暗号化と複合化との処理手順を示す説明図である。
【符号の説明】
【００６７】１００  音楽コンテンツ配信事業者システム
１００ａ  ユーザーデータベース（ユーザーＤＢ）
１００ｂ  ウェブサーバー（Ｗｅｂサーバー）
２００  携帯電話機
３００  インターネット網
４００  音楽コンテンツ配信対象物
５００  音源システム
５０２  中央処理装置（ＣＰＵ）
５０４  バス
５０６  リードオンリメモリ（ＲＯＭ）
５０８  ランダムアクセスメモリ（ＲＡＭ）
５１０  通信インターフェース
５１２  音源回路
５１４  サウンドシステム
【図１】
2010020334.tif 000003
【図２】
2010020334.tif 000004
【図３】
2010020334.tif 000005
【図４】
2010020334.tif 000006
【図５】
2010020334.tif 000007
【図６】
2010020334.tif 000008
【図７】
2010020334.tif 000009
【図８】
2010020334.tif 000010
【図９】
2010020334.tif 000011
【図１０】
2010020334.tif 000012
【図１１】
2010020334.tif 000013
【図１２】
2010020334.tif 000014
【図１３】
2010020334.tif 000015
【図１４】
2010020334.tif 000016
【図１５】
2010020334.tif 000017
【図１６】
2010020334.tif 000018
【図１７】
2010020334.tif 000019
【図１８】
2010020334.tif 000020
【図１９】
2010020334.tif 000021
【図２０】
2010020334.tif 000022
【図２１】
2010020334.tif 000023
【図２２】
2010020334.tif 000024
【図２３】
2010020334.tif 000025
【図２４】
2010020334.tif 000026
【図２５】
2010020334.tif 000027
【図２６】
2010020334.tif 000028
【図２７】
2010020334.tif 000029
【図２８】
2010020334.tif 000030